(57)【要約】【課題】複数の入出力ポートを有し分配器あるいは混合器として利用でき、かつ、ノイズや反射波の影響を受けにくい分配混合器を提供する。【解決手段】３つ以上のＮ個の信号入出力端子（ポート１〜６）と、ポート１〜６の何れか一に一端が接続され、他端同士が共通接続されているＮ本の信号伝送線路１２−１〜１２−６と、信号伝送線路１２−１〜１２−６の各々に１つずつ直列に挿入されているＮ個の直列抵抗１４−１〜１４−６と、共通接続点（分岐点１３）と基準電位（ＧＮＤ電位）間に接続されている共通の帯域通過フィルタＢＰＦ０と、を有する。【選択図】図１
2008078986.tif 000002
【特許請求の範囲】
【請求項１】
３つ以上のＮ個の信号入出力端子と、
前記信号入出力端子の何れか一に一端が接続され、他端同士が共通接続されているＮ本の信号伝送線路と、
前記Ｎ本の信号伝送線路の各々に１つずつ直列に挿入されているＮ個の直列抵抗と、
前記信号伝送線路の共通接続点と基準電位間に接続されている共通の帯域通過フィルタと、
を有する分配混合器。
【請求項２】
前記Ｎ本の信号伝送線路の各々に１つずつ直列に接続されているＮ個の帯域通過フィルタを、さらに有する
請求項１に記載の分配混合器。
【請求項３】
前記共通帯域通過フィルタは、前記共通接続点と前記基準電位との間に並列接続されている第１キャパシタと第１インダクタを含む
請求項１に記載の分配混合器。
【請求項４】
前記信号伝送線路に直列接続されている各帯域通過フィルタは、互いに直列に接続されている第２キャパシタと第２インダクタを含む
請求項２に記載の分配混合器。
【請求項５】
前記共通接続点と基準電位間に接続され、前記Ｎ本の信号伝送線路に対して並列な並列抵抗を、
さらに有する請求項１〜４の何れかに記載の分配混合器。
【請求項６】
前記Ｎ本の信号伝送線路に直列接続される前記Ｎ個の直列抵抗は、各信号入出力端子から前記共通接続点までの抵抗値が等しくなるように、それぞれの抵抗値が決められている
請求項１に記載の分配混合器。
【請求項７】
それぞれ前記直列抵抗が接続されている前記Ｎ本の信号伝送線路は、対応する信号入出力端子から前記共通接続点までの高周波特性が同じに設定されている
請求項１に記載の分配混合器。
【発明の詳細な説明】
【技術分野】
【０００１】
本発明は、３つ以上のＮ個の信号入出力端子の何れかから入力される信号を他の（Ｎ−１）個の信号入出力端子から電力を均等配分して出力可能な分配器の機能と、複数の信号入出力端子からの信号を混合して、他の信号入出力端子から出力可能な混合器の機能とを併せ持つ分配混合器に関する。
【背景技術】
【０００２】
ワイヤレス通信装置またはワイヤレス通信装置用ソフトウエアの評価・開発を行う場合、外部からノイズや反射波の影響を受けずに安定して通信できる状態を作り出すため、ワイヤレス通信装置同士を同軸ケーブル等の有線で接続することがある。
この場合、すべてのポート間で等しく信号を分配する必要がある。
【０００３】
１つの入力ポートから入力された信号を２つの出力ポートに分配する分配器が提案されているが（例えば、特許文献１参照）、この分配器は主に平衡、非平衡変換を目的としたものであり、ワイヤレス通信装置同士を同軸ケーブル等の有線で接続する用途に適していない。
【０００４】
ところで、ワイヤレス通信装置同士を同軸ケーブル等の有線で接続する用途では、ワイヤレス通信装置を評価するために、低損失のマイクロ波電力分配器を用いると、信号強度が強すぎると受信側で信号が歪む。そのため安定したワイヤレス通信を行うために、ある程度減衰した信号を受信側に送る必要がある。
【０００５】
そこで、１つの入力ポートから入力された信号を複数の出力ポートに分配する分配器において、複数の出力ポートに各々１本ずつ接続されている信号伝送線路にそれぞれ直列に抵抗を接続して、信号をある程度減衰することで、すべてのポートでインピーダンスの整合を取り、かつ、各ポート間で挿入損を一定にする分配器が提案されている（例えば、特許文献２参照）。
【特許文献１】特開２０００−３０７３１３号公報（第２,３頁、第１図）
【特許文献２】特開２００６−５６５６号公報
【発明の開示】
【発明が解決しようとする課題】
【０００６】
ワイヤレス通信装置またはワイヤレス通信装置用ソフトウエアの評価・開発を行う場合、外部からノイズや反射波の影響を受けずに安定して通信できる状況にする必要がある。
しかし、上述した特許文献２に記載されている分配器は、ノイズや反射波が直接波に影響し、その結果、完全に複数の出力ポートのインピーダンスを揃えることが難しい。また、各ポートでの挿入損もノイズや反射波の影響を受けた場合は一定にならない。
【０００７】
本発明が解決しようとする課題は、複数の入出力ポートを有し分配器あるいは混合器として利用でき、かつ、ノイズや反射波の影響を受けにくい分配混合器を提供することである。
【課題を解決するための手段】
【０００８】
本発明に係る分配混合器は、３つ以上のＮ個の信号入出力端子と、前記信号入出力端子の何れか一に一端が接続され、他端同士が共通接続されているＮ本の信号伝送線路と、前記Ｎ本の信号伝送線路の各々に１つずつ直列に挿入されているＮ個の直列抵抗と、前記信号伝送線路の共通接続点と基準電位間に接続されている共通の帯域通過フィルタと、を有する。
本発明では好適に、前記Ｎ本の信号伝送線路の各々に１つずつ直列に接続されているＮ個の帯域通過フィルタを、さらに有する。
前記共通帯域通過フィルタは、好適に、前記共通接続点と前記基準電位との間に並列接続されている第１キャパシタと第１インダクタを含む。
前記信号伝送線路に直列接続されている各帯域通過フィルタは、互いに直列に接続されている第２キャパシタと第２インダクタを含む。
【０００９】
本発明では好適に、前記共通接続点と基準電位間に接続され、前記Ｎ本の信号伝送線路に対して並列な並列抵抗を、さらに有する。
本発明では好適に、前記Ｎ本の信号伝送線路に直列接続される前記Ｎ個の直列抵抗は、各信号入出力端子から前記共通接続点までの抵抗値が等しくなるように、それぞれの抵抗値が決められている。
本発明では好適に、それぞれ前記直列抵抗が接続されている前記Ｎ本の信号伝送線路は、対応する信号入出力端子から前記共通接続点までの高周波特性が同じに設定されている。
【００１０】
以上の構成によれば、例えば前記Ｎ個の信号入出力端子の何れかに高周波信号を印加すると、他の（Ｎ−１）個の信号入出力端子から電力がほぼ均等配分された高周波信号が出力され、当該分配混合器が分配器として働く。このとき、共通通過帯域フィルタにより、所望の帯域に通過信号が限定され、よってノイズ成分が除去される。また、入力される信号電力が大きい場合でも直列抵抗の働きによって信号電力が減衰され、出力される高周波信号を利用する機器において信号歪みが抑圧される。
また、例えば（Ｎ−１）個の信号入出力端子に高周波信号を印加すると、残りの１つの信号入力端子から、上記（Ｎ−１）個の信号入力端子に印加された高周波信号の合成信号が得られ、当該分配混合器が混合器として働く。この場合も、上記共通通過帯域フィルタによるノイズ除去と前記直列抵抗による信号減衰の作用がある。
【発明の効果】
【００１１】
本発明によれば、複数の入出力ポートを有し分配器あるいは混合器として利用でき、かつ、ノイズや反射波の影響を受けにくい分配混合器を提供することができる。
【発明を実施するための最良の形態】
【００１２】
以下、本発明の実施形態を、図面を参照して説明する。
【００１３】
《第１実施形態》
【００１４】
図１は、本実施形態に関わる分配混合器の構成を示す図である。
図１に図解する分配混合器１０は、６つの信号入出力端子としてのポート(Port)１〜６を備える配線ボード１１を有する。配線ボード１１は、シールドボックス１６に覆われ、外部から飛び込む電磁ノイズ等に対して保護されている。
【００１５】
配線ボード１１のポート１に信号伝送線路１２−１が接続され、同様に、ポート２〜６に対しても信号伝送線路１２−２〜１２−６が、それぞれ接続されている。ポート１から信号伝送線路１２−１を経由して共通接続点としての分岐点１３に至る信号経路に、直列抵抗１４−１が挿入されている。同様に、ポート２〜６から信号伝送線路１２−２〜１２−６を経由して分岐点１３に至る各信号経路に１つずつ直列抵抗１４−２〜１４−６が挿入されている。
直列抵抗１４−１〜１４−６は、望ましくは、各ポート１〜６から分岐点１３までの抵抗値が等しくなるように、それぞれの抵抗値が決められている。以下、直列抵抗１４−１〜１４−６は同一の抵抗値Ｒｓを有すると仮定する。
【００１６】
各ポート１〜６は、例えば同軸ケーブルによりワイヤレス通信装置等の外部機器と接続するための端子である。本分配混合器１０は、このポートを通じて６つの外部機器とケーブル接続することができる。
各信号伝送線路１２−１〜１２−６は、特性インピーダンスが例えば５０[Ω]の配線であり、対応するポート１〜６で信号の反射が極力抑制されている。
分岐点１３は、６つの信号伝送線路１２−１〜１２−６を共通接続するノードである。分岐点１３を介して単一の信号が複数の経路に分配され、あるいは逆に、分岐点１３で複数の信号が混合されて他の経路に出力される。
【００１７】
本実施形態の分配混合器１０は、分岐点１３と共通電位（たとえばＧＮＤ電位）との間に、信号伝送線路１２−１〜１２−６に共通の通過帯域フィルタＢＰＦ０が接続されている。
通過帯域フィルタＢＰＦ０は、互いに並列なインダクタ１８とキャパシタ１９を備える。
【００１８】
また、本実施形態の分配混合器１０は、分岐点１３と共通電位（例えばＧＮＤ電位）との間に、信号伝送線路１２−１〜１２−６のそれぞれに対し分岐点１３を介して並列接続される並列抵抗Ｒ０が接続されている。並列抵抗Ｒ０は、後述する他の実施形態に示すように省略することも可能であるが、並列抵抗Ｒ０を省略すると、各信号伝送線路１２−１〜１２−６の直列抵抗１４−１〜１４−６の値が大きくなることがある。本実施形態では、そのような場合、分岐点１３に抵抗値Ｒｐを有する並列抵抗Ｒ０を図示のように接続させることによって、直列抵抗１４−１〜１４−６の値を比較的小さくできる利点がある。
本実施形態では、直列抵抗１４−１〜１４−６の各々と、共通な並列抵抗Ｒ０とによって、信号伝送線路１２−１〜１２−６を通る各ポートの信号減衰量を所望の一定値（入力信号電力が一定の場合）に揃えることが可能である。
【００１９】
シールドボックス１６は、外部からのノイズの影響を低減するためのものである。
信号伝送線路１２−１〜１２−６は、マイクロストリップ線路またはコプレーナ線路によって構成され、配線ボード１１は、これらの線路にグランド電位を与えるグランド面１７を有する。
シールドボックス１６は、例えば金属材料からなり、グランド面１７をシールド下面として、配線ボード１１を含む分配混合器１０全体を覆うように形成されている。
【００２０】
つぎに、直列抵抗１４−１〜１４−６の抵抗値Ｒｓ、並列抵抗Ｒ０の抵抗値Ｒｐについて、それらの算出方法の一例を説明する。
ここでポート数をＮ個、各ポート間の減衰量をＫ(Ratio)、信号伝送線路の特性伝送路の特性インピーダンスを５０[Ω]とする。
直列抵抗１４−１〜１４−６の抵抗値Ｒｓ[Ω]は、次式(1)で与えられる。
【００２１】
［数１］
Ｒｓ＝５０＊(１−Ｋ)／(１＋Ｋ)…(1)
【００２２】
また、並列抵抗Ｒ０の抵抗値Ｒｐ[Ω]は、次式(2)式により与えられる。
【００２３】
［数２］
Ｒｐ＝１００＊Ｋ／((１＋Ｋ)＊(１−(Ｎ−１)＊Ｋ))…(2)
【００２４】
また、通過帯域フィルタＢＰＦ０の信号通過帯域は、分岐点１３に接続されるインダクタ１８（インダクタンスＬｐ）とキャパシタ１９（キャパシタンスＣｐ）の時定数によって算出される。各インダクタ１８とキャパシタ１９のインピーダンスを特性インピーダンス（５０[Ω]）に対してスケーリングすることにより信号の通過帯域の幅を制御することができる。
【００２５】
以上説明した構成の分配混合器１０は、全てのポート１〜６の通過帯域にて、インピーダンスの整合が取れ、各ポート１〜６間で挿入損が一定で各ワイヤレス通信装置が同じ状態で通信を行うことができると共に安価で小型化を図ることができるようにした分配器または混合器の機能を持つ。
以下、この機能および特徴について説明する。
【００２６】
本分配混合器１０は、分岐点１３からポート１〜６のそれぞれに至る信号経路が点対称に配置され、また、各信号経路の特性が揃えられている。
そして、減衰機能を有する直列抵抗１４−１〜１４−６がパッシブ素子からなる。これに対し、減衰機能をアクティブ素子、例えばトランジスタを含む回路から構成すると、トランジスタのゲート側が入力となる制約があり、信号入力側と出力側が回路構成上決まってしまう。減衰機能をパッシブ素子で実現することは、信号入力側と信号出力側の区別をなくすことができることを意味する。よって、６つのポート１〜６を信号入力端子として用いることと、信号出力端子として用いることの何れも可能である。
以上より、本実施形態の分配混合器１０は、直列抵抗１４−１〜１４−６と並列抵抗Ｒ０の抵抗値を適切に選択することにより、信号の減衰機能を有し、かつ、入力ポートと出力ポートの区別をなくし、すべてのポートでインピーダンスの整合が取れる分配器と混合器の機能を兼ね備えた分配混合器１０が実現されている。
【００２７】
また、本実施形態の分配混合器１０は、仮にあるポートと信号伝送線路との間、あるいはその他の信号経路途中にインピーダンスの不整合があり、信号が反射してこれがノイズ成分となっても、分岐点１３に接続された通過帯域フィルタＢＰＦ０の働きによってノイズ成分を除去できる。また、グランド面１７とシールドボックス１６によって一応シールドがなされているが、仮に、強いノイズ源により外部からのノイズが信号経路に重畳されても通過帯域フィルタＢＰＦ０の働きによって、このノイズ成分も除去される。よって、各ポート間で挿入損が一定となるため、各ポートに接続されている外部機器が同じ状態で通信を行うことができる。
さらに、分配器と混合器が一体となって形成され、分岐点１３に接続されている並列抵抗Ｒ０の存在により信号伝送線路の直列抵抗１４−１〜１４−６に要求される抵抗値Ｒｓが小さくて済む。このため、当該分配混合器１０は小型化が図られている。
【００２８】
本実施形態の分配混合器１０の用途、すなわちポート１〜６に接続される通信機器（外部機器）は任意である。
ただし、特に減衰器の機能を持ち合わせていることから、分配混合器１０は通常使用時を超える信号電力のやり取りをする通信機器の評価・開発の用途に適している。
このような通信機器としては、ワイヤレス通信装置を代表例として挙げることができる。以下、ワイヤレス通信装置の評価・開発を例として、本分配混合器１０の用途を説明する。
【００２９】
図２に、ワイヤレス通信装置の通信状態例を示す図である。
図では４つのワイヤレス通信装置ＷＬＡＮ１〜ＷＬＡＮ４を示している。ワイヤレス通信装置ＷＬＡＮ１〜ＷＬＡＮ４は、相互に無線通信が可能であり、その通信距離や能力に応じて信号減衰量（伝送損失）もさまざまである。図２では、一例として同じ通信能力の４つのワイヤレス通信装置ＷＬＡＮ１〜ＷＬＡＮ４が相互に通信を行う場合を示し、互いの伝送損失が−５０[dB]で一定としている。
このようにワイヤレス通信装置は、本来はワイヤレスで通信を行うため空間伝播時の信号減衰がある程度予定されている。
【００３０】
一方、ワイヤレス通信装置またはワイヤレス通信用のソフトウエアの評価・開発においては、信号伝送線路の条件を複数のワイヤレス通信装置で一定とし、安定した評価・開発環境を作り出す必要がある。また、外来のノイズを避け各ワイヤレス通信装置が発信する電波のみを受け取る状況にする必要がある。さらに、直接波と反射波の干渉の影響を避ける必要もある。
以上の要請から、ワイヤレス通信装置またはワイヤレス通信用のソフトウエアの評価・開発においては、ワイヤレス通信装置を相互に接続し、そのときノイズの影響の不均一を排除する必要がある。分配器や混合器は、このような目的で使用されるが、分配器と混合器を別々に用意し、ケーブルをつなぎなおして用いるのでは不便である。また、各ワイヤレス通信装置の出力に市販のノイズフィルタを接続するとした場合、コスト高になり、また、接続も煩雑化する。さらに、全てのワイヤレス通信装置の各通信経路でインピーダンスの整合がとれ、挿入損が一定となる保証はない。
また、複数のワイヤレス通信装置をケーブル接続すると、ケーブルにおける信号減衰は空間伝播時の信号減衰量より小さいため、信号電力が大きすぎるという事態が発生する。この事態を避けるために各ワイヤレス通信装置で送信パワーを絞ったのでは、正確な評価ができない。
【００３１】
図３は、本実施形態の分配混合器１０を用いる評価時の一接続例を示す。
図３において、全てのポートでインピーダンスの整合が取れ、各ポート間で挿入損が一定となるために前述した構成の分配混合器１０が使用される。分配混合器１０のポート１,２,４および６に、図２に示すワイヤレス通信装置ＷＬＡＮ１〜ＷＬＡＮ４が１台ずつ、そのＲＦ端子がケーブルを解して接続されている。また、分配混合器１０のポート３には測定器２０が接続されている。
【００３２】
一般に、ワイヤレス通信装置等が接続されていないポート、例えばポート５は５０[Ω]のターミネータで終端されることが望ましい。
しかし、本実施形態の分配混合器１０では、各ポート間の減衰量が大きいとき、例えば減衰量が−５０[dB]のとき、ポート１からポート５を通ってポート４に抜ける信号は、ポート１から直接にポート４に抜ける信号よりも５０[dB]小さく、無視することができるので、ターミネータを接続しなくとも評価・開発に十分なシステムを構築することができる。
【００３３】
ワイヤレス通信装置ＷＬＡＮ１〜ＷＬＡＮ４のうち１つ、例えばワイヤレス通信装置ＷＬＡＮ１から通信信号を送信する。すると、通信信号は各信号伝送線路１２−１を経由して分岐点１３に至り、分岐点１３を介して均等に減衰されて他のポート２,４,６に分配される。これにより、各ワイヤレス通信装置ＷＬＡＮ２〜ＷＬＡＮ４が同じ状態で通信信号を受信する。
なお、他のワイヤレス通信装置ＷＬＡＮ２,３,４が通信信号を送信する場合も同様である。また、複数のワイヤレス通信装置から同時に通信信号を送信する場合も同様である。
【００３４】
このように本実施形態においては、ポート１〜６を有し、配線ボード１１に６本の信号伝送線路１２−１〜１２−６を配線され、各信号伝送線路１２−１〜１２−６の一端は分岐点１３に接続される。また、各信号伝送線路１２−１〜１２−６には、直列抵抗１４−１〜１４−６が１つずつ挿入されている。配線ボード１１はシールドボックス１６により囲われている。各信号伝送線路に配置される直列抵抗１４−１〜１４−６は、各ポートから分岐点１３までの信号経路の特性を同じにするように各抵抗値が決められている。また、並列抵抗Ｒ０は分岐点１３とグランド面１７との間に接続されている。また、信号伝送線路１２−１〜１２−６は、コプレーナ線路またはマイクロストリップ線路によって構成され、各信号伝送線路１２に共通なグランド面１７を基準電位として用いる。
【００３５】
このように分配混合器１０が構成されていることから、そのポート３に接続されている測定器２０で信号電界強度を測定すると、その値は、ワイヤレス通信装置ＷＬＡＮ１〜ＷＬＡＮ４の受信信号の電界強度として検出される。
この受信電界強度下で、ワイヤレス通信装置ＷＬＡＮ１〜ＷＬＡＮ４の機能チェック、あるいは、内蔵またはインストールされたプログラムの評価を行う。
【００３６】
なお、信号合成の場合は、これとは逆に、例えばワイヤレス通信装置ＷＬＡＮ２,ＷＬＡＮ３,ＷＬＡＮ４から同じ電界強度で信号を送信し、例えばポート１に接続されているワイヤレス通信装置ＷＬＡＮ１で、合成信号を受信し、その機能チェックやプログラム評価を行う。
このときの合成信号の電界強度は、測定器２０により測定できる。
【００３７】
以上より本実施形態によれば、分配または混合と、減衰の機能を共に有し、入力ポートと出力ポートの区別をなくし、すべてのポートでインピーダンスの整合が取れ、各ポート間で挿入損が一定となるため、各ワイヤレス通信装置が同じ状態で通信を行うことができると共に、小型な混合分配装置を実現できる。
そのため、従来のように分配器、混合器、減衰器、終端器等高周波部品を複雑に組み合わせる必要がなく、評価したいワイヤレス通信装置を分配混合器１０に接続するだけでマルチ端末ワイヤレス通信の評価・開発システムを構築することができるので、直感的且つ容易に評価・開発を行うことができる。
【００３８】
《第２実施形態》
図４は、本発明の第２実施形態に関わる分配混合器１０Ａの構成図である。
図解する分配混合器１０Ａは、第１実施形態の分配混合器１０（図１）と比較すると、並列抵抗Ｒ０が省略されている。
例えば直列抵抗１４−１〜１４−６の抵抗値が比較的小さい場合、このように並列抵抗Ｒ０を省略して、各々の直列抵抗１４−１〜１４−６の抵抗値のみで減衰量を規定しても、図１とほぼ同じ面積で配線ボード１１を実現できる。
分配混合器１０の並列抵抗Ｒ０が省略されると、即ち並列抵抗Ｒｓ[Ω]の値が無限大になり、この条件下で、直列抵抗１４の抵抗値Ｒｐ[Ω]は、上述した計算式（式(1)）を用いて求めることができる。
【００３９】
本実施形態においても、第１実施形態と同様、分配または混合と、減衰の機能を共に有し、入力ポートと出力ポートの区別をなくし、すべてのポートでインピーダンスの整合が取れ、各ポート間で挿入損が一定となるため、各ワイヤレス通信装置が同じ状態で通信を行うことができると共に、小型な混合分配装置を実現できる。
そのため、従来のように分配器、混合器、減衰器、終端器等高周波部品を複雑に組み合わせる必要がなく、評価したいワイヤレス通信装置を分配混合器１０に接続するだけでマルチ端末ワイヤレス通信の評価・開発システムを構築することができるので、直感的且つ容易に評価・開発を行うことができる。
【００４０】
《第３実施形態》
図５は、本発明の第３実施形態に関わる分配混合器１０Ｂ構成図である。なお、この図では４ポートの例を示すが、ポート数の違いは本質的でない。
図解する分配混合器１０Ｂは、第１実施形態の分配混合器１０（図１）と比較すると、信号伝送線路１２−１〜１２−４に直列に、それぞれインダクタ２１とキャパシタ２２からなる通過帯域フィルタＢＰＦ１が接続されていることが異なる。
その他の基本構成は同じであり、その詳細説明は省略する。
【００４１】
通過帯域フィルタＢＰＦ１の追加により、信号の通過帯域フィルタの次数が２次から４次となり、フィルタ特性により急峻な減衰特性を持たせることが可能となる。そのためノイズの除去能力が向上している。
各信号伝送線路に挿入される通過帯域フィルタＢＰＦ１のキャパシタの値及び／又はインダクタの値を変えてもよいが、ここでは同じ値に設定されている。
【００４２】
図６に、図５の分配混合器１０Ｂにおいて信号電力Ｐ[dB]の周波数依存性を示す。
この図より、通過帯域フィルタの次数を２次から４次にすることで急峻なフィルタ特性が得られていることが分かる。また、このフィルタの通過帯域で、信号の減衰量は−１０[dB]と一定に保たれている。
【００４３】
本実施形態においても、第１実施形態と同様、分配または混合と、減衰の機能を共に有し、入力ポートと出力ポートの区別をなくし、すべてのポートでインピーダンスの整合が取れ、各ポート間で挿入損が一定となるため、各ワイヤレス通信装置が同じ状態で通信を行うことができると共に、小型な混合分配装置を実現できる。
そのため、従来のように分配器、混合器、減衰器、終端器等高周波部品を複雑に組み合わせる必要がなく、評価したいワイヤレス通信装置を分配混合器１０に接続するだけでマルチ端末ワイヤレス通信の評価・開発システムを構築することができるので、直感的且つ容易に評価・開発を行うことができる。
【図面の簡単な説明】
【００４４】
【図１】第１実施形態に関わる分配混合器の構成図である。
【図２】ワイヤレス通信装置の通信状態例を示す図である。
【図３】分配混合器を用いる評価時の一接続例を示す図である。
【図４】第２実施形態に関わる分配混合器の構成図である。
【図５】第３実施形態に関わる分配混合器の構成図である。
【図６】図５の分配混合器において信号電力Ｐ[dB]の周波数依存性を示すグラフである。
【符号の説明】
【００４５】
１０,１０Ａ,１０Ｂ…配混合器、１１…配線ボード、１２−１〜１２−６…信号伝送線路、１３…分岐点、１４−１〜１４−６…直列抵抗、１６…シールドボックス、１７…グランド面、２０…測定器、ＷＬＡＮ１〜ＷＬＡＮ４…ワイヤレス通信装置
【図１】
2008078986.tif 000003
【図２】
2008078986.tif 000004
【図３】
2008078986.tif 000005
【図４】
2008078986.tif 000006
【図５】
2008078986.tif 000007
【図６】
2008078986.tif 000008